(57)【要約】      （修正有）【課題】可動体による演出が単調となるのを防止することができる遊技機を提供する。【解決手段】規制部材は、コイルバネの付勢により規制位置に切り替わると共に、移動機構の第２移動体の係止により規制解除位置に切り替わる。これにより、保持機構を保持解除状態へ切り替えて最終位置に向けて可動体が移動開始した際に、コイルバネの付勢により規制部材が規制位置に切り替わっている場合は、可動体が該中途位置で停止する一方、規制手段が第２移動体の係止により規制解除位置に切り替わっている場合は、可動体が該中途位置を通過して最終位置で停止する。【選択図】図１２
2016096940.tif 000002
【特許請求の範囲】
【請求項１】
可動演出を行う可動演出装置を備えた遊技機において、
前記可動演出装置は、
回転方向に連なる外周壁部および該外周壁部の一方端縁に連なる外端壁部を有し、前記外周壁部に第１表示面が設けられると共に前記外端壁部に第２表示面が設けられた回転表示体と、
前記回転表示体を、前記外周壁部が周方向へ移動するよう回転させる第１駆動手段と、
前記回転表示体を回転可能に支持する支持体を、第１位置および該第１位置から離間した第２位置の間で往復移動させて、該回転表示体の位置を変更する進退動作機構と、
前記進退動作機構を動作させ、前記支持体を第１位置および第２位置の間で移動させる第２駆動手段と、
前記第２駆動手段により動作して前記支持体の姿勢を変位させ、前記回転表示体を、前記第１表示面および第２表示面が夫々所定方向に向いた第１姿勢と、前記第１表示面および第２表示面が第１姿勢時とは異なる方向に夫々向いた第２姿勢とに姿勢変位させる姿勢切替機構とを備えた
ことを特徴とする遊技機。
【請求項２】
前記進退動作機構は、該進退動作機構が配設された装置本体に往復移動可能に配設されると共に前記支持体を姿勢変位可能に支持する移動体を備え、
前記支持体は、前記移動体が前記装置本体に収容された収容位置において前記第１位置となると共に、該移動体が前記装置本体から外方へ延出した延出位置へ移動することで前記第２位置となり、
前記姿勢切替機構は、前記移動体の移動に伴って前記支持体が前記第１位置および第２位置の間の中途位置までの間を移動する際に前記回転表示体を第１姿勢とし、前記支持体が前記中途位置から第２位置までの間を移動する際に前記回転表示体を前記第１姿勢および第２姿勢の間で姿勢変位するよう構成された請求項１記載の遊技機。
【請求項３】
前記姿勢切替機構は、
前記進退動作機構が配設された装置本体に、前記支持体の移動方向へ延在するよう設けられた第１ガイド部と、
前記支持体に連係され、前記進退動作機構の動作時に前記第１ガイド部に案内される第２ガイド部とを備え、
前記進退動作機構の動作に伴って前記第２ガイド部が前記第１ガイド部に案内されることで前記支持体が姿勢変位し、前記回転表示体)を前記第１姿勢および第２姿勢に姿勢変位するよう構成された請求項１または２記載の遊技機。
【請求項４】
前記姿勢切替機構は、
前記進退動作機構に回転自在に支持された連係部材を備え、
前記連係部材に、該連係部材の回転中心から離間した位置に前記第２ガイド部が設けられると共に、該連係部材の回転中心から離間した位置に第１連係部が設けられ、
前記支持体に、前記第１連係部と連係した第２連係部が設けられ、
前記進退動作機構の動作に伴って前記第２ガイド部が前記第１ガイド部に案内されることで前記連係部材が回転変位し、該連係部材の回転変位に伴って前記支持体が姿勢変位するよう構成された請求項３記載の遊技機。
【請求項５】
前記回転表示体は、前記支持体側が開口すると共に、前記第１表示面および第２表示面は透光性を有し、
前記支持体には、前記開口を介して回転表示体内に収容されて、前記第１表示面の裏面に光を照射可能な第１照明手段および前記第２表示面の裏面に光を照射可能な第２照明手段が設けられた請求項１〜４の何れか一項に記載の遊技機。
【請求項６】
前記進退動作機構が配設される装置本体および前記第２姿勢の回転表示体の間からはみ出した該進退動作機構を覆うカバー部材を備え、
前記カバー部材に、前記第１照明手段および第２照明手段に接続された配線を挿通する配線挿通部が形成された請求項５記載の遊技機。
【請求項７】
前記支持体に、前記カバー部材側へ延出して前記配線を保持可能な配線保持部が設けられた請求項６記載の遊技機。
【発明の詳細な説明】
【技術分野】
【０００１】
本発明は、可動演出を行う可動演出装置を備えた遊技機に関するものである。
【背景技術】
【０００２】
代表的な遊技機であるパチンコ機は、機内にセットされる遊技盤の盤面に画成した遊技領域の略中央位置に枠状の装飾部材が配設されて、遊技盤の裏側に配設された図柄表示装置の表示部を装飾部材の窓口の後側に臨ませ、この図柄表示装置で図柄組み合わせに係る遊技の演出を行うよう構成されている。また、パチンコ機では、所要の動作を行う可動体を備えた可動演出装置を遊技盤の前側から視認可能に配設し、図柄表示装置の表示部で行われる遊技演出に合わせて該可動体を動作させることにより、視覚的な演出効果を向上させて遊技の興趣を高めている。
【０００３】
例えば、特許文献１に示す可動演出装置では、駆動手段により回転可能なドラム形態の回転表示体を備え、この回転表示体の外周壁部および外端壁部の夫々に、絵柄や図柄が形成された表示面が設けられている。そして、可動演出装置は、回転表示体が支持された本体を回転させることで該回転表示体の位置および姿勢を変化させ、回転表示体の外周壁部に設けられた表示面が遊技機の正面に向いた姿勢および該回転表示体の外端壁部に設けられた表示面が遊技機の正面に向いた姿勢に変化可能に構成されている。
【先行技術文献】
【特許文献】
【０００４】
【特許文献１】特開２００４−２８３４８７号公報
【発明の概要】
【発明が解決しようとする課題】
【０００５】
ところで、特許文献１に示す可動演出装置では、回転表示体および該回転表示体を支持した装置本体が一体に回転する構造となっており、これら回転表示体および装置本体の回転を可能とするために、当該可変演出装置の外形サイズよりも大きい設置スペースを遊技盤に確保する必要がある。このため、遊技盤に対する可動演出装置の設置自由度が低くなると共に、遊技盤に配設される図柄表示装置およびその他の構成部材の設置自由度も低くなる難点がある。また、遊技盤の中央に配設される図柄表示装置と適切な位置関係で可動演出装置を配置できない場合には、両装置を連動させた演出が行い難くなる不都合もある。
【０００６】
すなわち、本発明は、従来技術に係る遊技機に内在する前記問題に鑑み、これらを好適に解決するべく提案されたものであって、可動演出装置の設置自由度が高められた遊技機を提供することを目的とする。
【課題を解決するための手段】
【０００７】
前記課題を解決し、所期の目的を達成するため、本発明の請求項１に係る発明は、可動演出を行う可動演出装置(50)を備えた遊技機において、
前記可動演出装置(50)は、
回転方向に連なる外周壁部および該外周壁部の一方端縁に連なる外端壁部を有し、前記外周壁部に第１表示面(148)が設けられると共に前記外端壁部に第２表示面(149)が設けられた回転表示体(52)と、
前記回転表示体(52)を、前記外周壁部が周方向へ移動するよう回転させる第１駆動手段(152)と、
前記回転表示体(52)を回転可能に支持する支持体(115)を、第１位置および該第１位置から離間した第２位置の間で往復移動させて、該回転表示体(52)の位置を変更する進退動作機構(53)と、
前記進退動作機構(53)を動作させ、前記支持体(115)を第１位置および第２位置の間で移動させる第２駆動手段(73)と、
前記第２駆動手段(73)により動作して前記支持体(115)の姿勢を変位させ、前記回転表示体(52)を、前記第１表示面(148)および第２表示面(149)が夫々所定方向に向いた第１姿勢と、前記第１表示面(148)および第２表示面(149)が第１姿勢時とは異なる方向に夫々向いた第２姿勢とに姿勢変位させる姿勢切替機構(54)とを備えたことを要旨とする。
請求項１に係る発明によれば、支持体に回転可能に支持された回転表示体のみが、進退動作機構により位置が変位すると共に姿勢切替機構により姿勢が変位するので、可動演出装置の設置スペースをコンパクトなサイズにすることが可能となる。これにより、可動演出装置を設置する部材に対する該可動演出装置の設置自由度が高められると共に、該部材に配設されるその他の構成部材の配置自由度が低くなるのを防止し得る。また、回転表示体が第１姿勢および第２姿勢に姿勢変位するので、回転表示体の外周壁部に設けられた第１表示面および外端壁部に設けられた第２表示面の見え方が変わり、回動表示体による演出効果を高めることができる。
【０００８】
請求項２に係る発明では、前記進退動作機構(53)は、該進退動作機構(53)が配設された装置本体(51)に往復移動可能に配設されると共に前記支持体(115)を姿勢変位可能に支持する移動体(70)を備え、
前記支持体(115)は、前記移動体(70)が前記装置本体(51)に収容された収容位置において前記第１位置となると共に、該移動体(70)が前記装置本体(51)から外方へ延出した延出位置へ移動することで前記第２位置となり、
前記姿勢切替機構(54)は、前記移動体(70)の移動に伴って前記支持体(115)が前記第１位置および第２位置の間の中途位置までの間を移動する際に前記回転表示体(20)を第１姿勢とし、前記支持体(115)が前記中途位置から第２位置までの間を移動する際に前記回転表示体(20)を前記第１姿勢および第２姿勢の間で姿勢変位するよう構成されたことを要旨とする。
請求項２に係る発明によれば、移動体が装置本体から延出して、支持体が第１位置と第２位置との間の中途位置から第２位置までの間を移動する際に、回転表示体が第１姿勢と第２姿勢との間を姿勢変位するようになり、該回転表示体が装置本体と干渉するのを防止し得る。
【０００９】
請求項３に係る発明では、前記姿勢切替機構(54)は、
前記進退動作機構(53)が配設された装置本体(51)に、前記支持体(115)の移動方向へ延在するよう設けられた第１ガイド部(135)と、
前記支持体(115)に連係され、前記進退動作機構(53)の動作時に前記第１ガイド部(135)に案内される第２ガイド部(136)とを備え、
前記進退動作機構(53)の動作に伴って前記第２ガイド部(136)が前記第１ガイド部(135)に案内されることで前記支持体(115)が姿勢変位し、前記回転表示体(52)を前記第１姿勢および第２姿勢に姿勢変位するよう構成されたことを要旨とする。
請求項３に係る発明によれば、進退動作機構の動作に伴って第２ガイド部が第１ガイド部に案内されることで、回転表示体を第１姿勢および第２姿勢の間で適切に姿勢変位させ得る。
【００１０】
請求項４に係る発明では、前記姿勢切替機構(54)は、
前記進退動作機構(53)に回転自在に支持された連係部材(137)を備え、
前記連係部材(137)に、該連係部材(137)の回転中心から離間した位置に前記第２ガイド部(136)が設けられると共に、該連係部材(137)の回転中心から離間した位置に第１連係部(138)が設けられ、
前記支持体(115)に、前記第１連係部(138)と連係した第２連係部(123)が設けられ、
前記進退動作機構(53)の動作に伴って前記第２ガイド部(136)が前記第１ガイド部(135)に案内されることで前記連係部材(137)が回転変位し、該連係部材(137)の回転変位に伴って前記支持体(115)が姿勢変位するよう構成されたことを要旨とする。
請求項４に係る発明によれば、進退動作機構の動作に伴って第２ガイド部が第１ガイド部に案内されることで連係部材が回転変位し、第１連係部と第２連係部との連係下に支持体が姿勢変位するようになるので、回転表示体を第１姿勢および第２姿勢に適切に姿勢変位させ得る。
【００１１】
請求項５に係る発明では、前記回転表示体(52)は、前記支持体(115)側が開口すると共に、前記第１表示面(148)および第２表示面(149)は透光性を有し、
前記支持体(115)には、前記開口を介して回転表示体(52)内に収容されて、前記第１表示面(148)の裏面に光を照射可能な第１照明手段(160)および前記第２表示面(149)の裏面に光を照射可能な第２照明手段(161)が設けられたことを要旨とする。
請求項５に係る発明によれば、第１照明手段により第１表示面の裏面に光を照射することで該第１表示面が明輝すると共に、第２照明手段により第２表示面の裏面に光を照射することで該第２表示面が明輝するので、回転表示体が第１姿勢の場合には第１表示面が強調されると共に回転表示体が第２姿勢の場合には第２表示面が強調されるので、回転表示体による演出効果を高めることができる。
【００１２】
請求項６に係る発明では、前記進退動作機構(53)が配設される装置本体(51)および前記第２姿勢の回転表示体(52)の間からはみ出した該進退動作機構(53)を覆うカバー部材(170)を備え、
前記カバー部材(170)に、前記第１照明手段(160)および第２照明手段(161)に接続された配線(C2)を挿通する配線挿通部(173)が形成されたことを要旨とする。
請求項６に係る発明によれば、装置本体および第２姿勢の回転表示体の間にはみ出した進退動作機構がカバー部材により隠されるので、該進退動作機構が見えることによって見栄えが悪くなるのを防止し得る。また、各照明手段に接続された配線を配線挿通部に挿通させることで、回動表示体が第１姿勢および第２姿勢の間を姿勢変位する際に配線を安定的に保持することができる。
【００１３】
請求項７に係る発明では、前記支持体(115)に、前記カバー部材(170)側へ延出して前記配線(C2)を保持可能な配線保持部(166)が設けられたことを要旨とする。
請求項７に係る発明によれば、第１照明手段および第２照明手段に接続された配線が、遊技機前側から見えるのを配線保持部で防止し得る。また、回動表示体が第１姿勢および第２姿勢の間を姿勢変位する場合に、配線に負荷がかかったり該配線が折れ曲がることを配線保持部で防止し得る。
【発明の効果】
【００１４】
本発明に係る遊技機によれば、可動演出装置の設置自由度が高くなり、他の演出装置と連動させた演出を行い易くすることができる。
【図面の簡単な説明】
【００１５】
【図１】実施例のパチンコ機の正面図である。
【図２】可動演出装置の回転表示体を第１姿勢とした遊技盤の正面図である。
【図３】可動演出装置の回転表示体を第２姿勢とした遊技盤の正面図である。
【図４】図２のＸ１−Ｘ１線断面図である。
【図５】回転表示体を第１姿勢とした可動演出装置を前方右斜め上方から見た斜視図である。
【図６】回転表示体を第１姿勢から第２姿勢へ移動途中とした可動演出装置を前方右斜め上方から見た斜視図である。
【図７】回転表示体を第２姿勢とした可動演出装置を後方左斜め上方から見た斜視図である。
【図８】回転表示体を第１姿勢から第２姿勢へ移動途中とした可動演出装置の平面図である。
【図９】回転表示体を第１姿勢とした可動演出装置を、第２ベース部材および第１駆動モータを取り外して前方右斜め上方から見た斜視図である。
【図１０】図９のＸ２−Ｘ２線断面図である。
【図１１】回転表示体を第１姿勢から第２姿勢へ移動途中とした可動演出装置を、第２ベース部材および第１駆動モータを取り外して前方右斜め上方から見た斜視図である。
【図１２】図１１のＸ３−Ｘ３線断面図である。
【図１３】回転表示体を第２姿勢とした可動演出装置を、第２ベース部材および第１駆動モータを取り外して前方右斜め上方から見た斜視図である。
【図１４】図１３のＸ４−Ｘ４線断面図である。
【図１５】可動演出装置を構成する装置本体、進退動作機構および姿勢切替機構の各構成部材を分離して前方左斜め上方から見た分解斜視図である。
【図１６】可動演出装置を構成する回転表示体および支持体の各構成部材を分離して前方左斜め上方から見た分解斜視図である。
【図１７】可動演出装置を構成する装置本体、進退動作機構および姿勢切替機構の各構成部材を分離して後方右斜め上方から見た分解斜視図である。
【図１８】可動演出装置を構成する回転表示体および支持体の各構成部材を分離して後方右斜め上方から見た分解斜視図である。
【発明を実施するための形態】
【００１６】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１７】
(パチンコ機１０について)
図１に示すように、実施例に係るパチンコ機１０は、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が、開閉および着脱可能に組み付けられている。そして、図２に示すように、遊技盤２０の裏側に、所定条件の成立(後述する第１始動入賞装置３０の始動入賞口または第２始動入賞装置の始動入賞口へのパチンコ球(遊技球)の入賞)を契機として演出用の図柄(以下飾図という)を変動表示させて図柄変動演出を行う演出実行手段としての図柄表示装置４５が、着脱可能に配設されている。また、中枠１２の前面側には、遊技盤２０を透視保護するガラス板や透明な合成樹脂材により形成された透視保護板１９(図１参照)で前後に開口する窓口１３ａを覆うよう構成された装飾枠としての前枠１３が開閉可能に組み付けられると共に、該前枠１３の下部前側に、パチンコ球を貯留する上球皿１４および下球皿１５が組み付けられており、前枠１３の開閉に合わせて上球皿１４および下球皿１５も一体的に開閉するよう構成される。
【００１８】
また、図１に示すように、前枠１３の右下方位置には、中枠１２に配設された球発射装置(図示せず)および該前枠１３の裏側に配設された球送り装置(図示せず)を作動する操作ハンドル１６が設けられており、該操作操作ハンドル１６の操作レバーの回転操作により、球送り装置および球発射装置が連動して作動することで、上球皿１４に貯留されたパチンコ球が所定間隔で１球ずつ遊技盤２０に向けて連続的に発射されるようになっている。
【００１９】
(遊技盤)
遊技盤２０は、透明な合成樹脂材により形成された略矩形状の板部材であって、図２に示すように、中枠１２に設けた遊技盤保持部(図示せず)の内縁形状に整合する外縁形成された略矩形の平板状に形成され、その前側には遊技領域２１が設けられると共に、その後側には設置部材４０(図４参照)が配設されている。但し、遊技盤２０は、遊技領域２１の後側に配設された可動演出装置や装飾部材等が透視可能となっているが、図２および図３では透視されない状態で図示している。遊技盤２０の前側には、左下部から右上部にかけて円弧状に延在する外レール２２と、この外レール２２の内側に右下部から左上部にかけて並べて配置された内レール２３と、外レール２２の右上部から内レール２３の右下部までの間の右方へ凹む湾曲形状に構成された盤面飾り部材２４等が配設されており、両レール２２,２３および盤面飾り部材２４で囲まれた内側が遊技領域２１として構成されている。また、遊技領域２１の最下方に、遊技領域２１を流下したパチンコ球を遊技盤２０の裏側へ排出するアウト口２５が形成されている。これにより、前枠１３の上球皿１４から中枠１２に配設された球発射装置へ案内されて、該球発射装置から発射されたパチンコ球は、外レール２２と内レール２３との間を通って遊技領域２１の左上部に打ち出された後に該遊技領域２１内を流下し、該パチンコ球の一部が後述する始動入賞装置３０、特別入賞装置３２または普通入賞部材３３の入賞口等に入賞し、これらに入賞しないパチンコ球は、アウト口２５から遊技盤２０の裏側へ排出されるようになっている。
【００２０】
遊技盤２０には、前後に貫通する複数の装着口が開設されており、該装着口には、各種の遊技盤設置部品(具体的には枠状装飾体２６、第１始動入賞装置３０、特別入賞装置３２、ゲート部３４、普通入賞部材３３等が各装着口に対し前側から取り付けられる。すなわち、遊技盤２０の略中央において前後に開口する大きな装着口には、図２に示すように、前後に開口した演出窓口２６ａが形成されたセンター役とも称される枠状装飾体２６が配設されており、該演出窓口２６ａ内が演出領域とされている。枠状装飾体２６は、複数の装飾部材を環状に連結してユニット化されており、設置部材４０の後側に着脱可能に配設された図柄表示装置４５の表示部４５ａで演出表示される遊技内容に合わせた所定の装飾等が施されている。そして、枠状装飾体２６の演出窓口２６ａには、設置部材４０に配設された図柄表示装置４５の表示部４５ａや、該設置部材４０の前側に配設される後述の可動演出装置５０や、その他の演出装置および装飾部品等が臨むようになっている。
【００２１】
図２示すように、枠状装飾体２６の演出窓口２６ａに臨む下側部分に、パチンコ球が転動可能なステージ部２７が左右に延在して設けられていると共に、該ステージ部２７の後側に、透明な部材から形成された透明保護部材２８が配設されている。この透明保護部材２８は、枠状装飾体２６の左部に形成された球通入口２９からステージ部２７へ導入されて該ステージ部２７を左右に転動するパチンコ球が、該ステージ部２７の後方へ落下するのを防止する。なお、透明保護部材２８は、図柄表示装置４５の表示部４５ａの下部と前後に重なっているが、透明な部材であるから該表示部４５ａの透視を阻害するものではない。
【００２２】
遊技盤２０の遊技領域２１内における下方に形成された装着口には、図２に示すように、遊技領域２１における枠状装飾体２６の左右中央下部に第１始動入賞装置３０が配設されている。遊技領域２１において、枠状装飾体２６の右側には、装飾部材３７に隠れて第２始動入賞装置(図示せず)が配設されている。また、遊技盤２０の遊技領域２１内において、第１始動入賞装置３０が配設される装着口の右斜め上方に形成された装着口には、特別入賞装置３２が配設されている。更に、遊技盤２０の遊技領域２１内において、第１始動入賞装置３０が配設される装着口の左側に形成された装着口には、普通入賞部材３３が配設されている。そして、遊技盤２０の遊技領域２１内には、多数の遊技釘３５が打設されると共に、回転案内部材３６およびゲート部３４等が配設されている。なお、装着口の形成数は、遊技盤２０に取り付けられる各種遊技盤設置部品の個数や配設位置等により必要に応じて適宜変更される。
【００２３】
(始動入賞装置)
第１始動入賞装置３０は、始動入賞口が遊技領域２１内で常に上方へ開口する常時開放タイプの入賞口とされ、遊技領域２１を流下するパチンコ球が常時一定の確率で入賞可能に構成されている。また、図示しない第２始動入賞装置は、該遊技領域２１に開口する始動入賞口を開閉自在に閉成する開閉部材を備えており、駆動手段の駆動に伴って開閉部材が閉鎖する閉鎖位置と開放する開放位置とに変位して、該開閉部材が開放位置に変位した際に始動入賞口が開口するよう構成されている。すなわち、第１始動入賞装置３０は、遊技領域２１を流下するパチンコ球が常時一定の確率で入賞可能に構成され、第２始動入賞装置は、遊技領域２１に配設されたゲート部３４をパチンコ球が通過したことを条件として実施される普図当り判定(普図当り抽選)の結果に応じて開閉部材が開閉することで、パチンコ球の入賞確率を可変し得るよう構成されている。そして、第１始動入賞装置３０および第２始動入賞装置は、始動入賞口に入賞したパチンコ球を検出する始動入賞センサが配設されており、該始動入賞センサによる球検出信号が、中枠１２の裏側に配設された主制御装置(図示せず)入力される。そして、各始動入賞センサによるパチンコ球の検出(すなわち第１始動入賞装置３０または第２始動入賞装置へのパチンコ球の入賞)を契機として、所定数のパチンコ球が賞球として払い出されるようになっている。また、始動入賞センサによるパチンコ球の検出を契機として、図柄表示装置４５の表示部４５ａにおいて図柄変動演出が行われる。
【００２４】
(特別入賞装置)
第１始動入賞装置３０の右斜め上方に配設された特別入賞装置３２は、横長に開口する特別入賞口を開閉する開閉部材３２ａを備えており、駆動手段の駆動に伴って板状の開閉部材３２ａが前後方向へ回動することで特別入賞口を開閉するようになっている。また、特別入賞装置３２には、特別入賞口に入賞したパチンコ球を検出する特別入賞検出手段としての特別入賞センサ(図示せず)が設けられて、該特別入賞センサはメイン制御基板に配線接続されており、該特別入賞センサからメイン制御基板への入賞検出信号の入力に伴って所定数(実施例では１５個)の賞球が払い出されるようになっている。ここで、特別入賞装置３２の駆動手段は、第１始動入賞装置３０または第２始動入賞装置へのパチンコ球の入賞を契機として各特別入賞装置３２の特別入賞口を開放する当り遊技(大当り遊技)が付与される場合に、当りの種類に応じた所定の開閉条件に従ってメイン制御基板によって駆動制御され、開閉部材３２ａが回動することで特別入賞口に対して多数のパチンコ球が入賞可能となる。
【００２５】
(設置部材)
設置部材４０は、図４に示す如く、遊技盤２０の外郭形状より僅かに小さい形状に形成された略矩形状の設置壁部４１と、該設置壁部４１の外周縁部から前方に突出する外周壁部４２とを備えて、設置壁部４１から前方に開口した箱状に形成されている。そして、設置部材４０は、外周壁部４２の開口前端部を遊技盤２０の後面に当接させた状態で、当該遊技盤２０に設置部材４０がネジ止め固定される。そして、設置部材４０における設置壁部４１の前側には、遊技盤２０の後面との間に空間が画成され、該空間には、実施例の可動演出装置５０や、その他の演出装置および装飾部材等(図示せず)が配設される。設置壁部４１は、その後面に図柄表示装置４５が着脱自在に取り付けられると共に、枠状装飾体２６の演出窓口２６ａと前後に整列する位置に、略矩形状の表示開口４３が前後に開口するよう開設される。表示開口４３には、設置壁部４１の後面に取り付けた図柄表示装置４５の表示部４５ａが後方から臨むようになり、表示開口４３および演出窓口２６ａを介して図柄表示装置４５の表示部４５ａが遊技盤２０の前側に臨むようになっている。設置壁部４１は、中央に開口する表示開口４３の左方に位置する左板部、表示開口４３の右方に位置する右板部４１ａ(図４参照)、表示開口４３の上方に位置する上板部および下方に位置する下板部から構成されている。設置壁部４１における左板部および右板部４１ａの前側に、夫々可動演出装置５０,５０が取り付けられている。そして、設置壁部４１の左板部に取り付けられた可動演出装置５０および右板部４１ａに取り付けられた可動演出装置５０は、図２および図３に示すように、枠状装飾部材２６の演出窓口２６ａから視認可能となっている。
【００２６】
(図柄表示装置)
図柄表示装置４５は、各種図柄を表示可能な表示部４５ａをなす液晶パネルが収容ケースに収容されたユニット部材であって、該収容ケースの後面には、該図柄表示装置４５の表示部４５ａの表示制御を行う表示制御装置(図示せず)と、当該パチンコ機１０の遊技演出を制御する演出制御基板が収容された演出制御装置４６(図４参照)が配設されている。図柄表示装置４５の表示部４５ａには、飾図を変動表示可能な図柄列が複数列(例えば３列)設定されており、第１始動入賞装置３０または第２始動入賞装置へのパチンコ球の入賞を契機として、各図柄列の飾図が変動開始されると共に背景画像等が表示され、選択された図柄変動演出(リーチ演出や外れ演出等)を行った後に、予め決定された最終停止図柄を、入賞ライン上に停止表示するようになっている。なお実施例では、図柄表示装置４５として、表示部４５ａが液晶パネルである液晶表示装置が採用されるが、これに限られるものではなく、ドラム式の図柄表示装置やドットマトリックス式の図柄表示装置等の各種図柄を停止および変動表示可能な従来公知の各種の表示装置も採用可能である。
【００２７】
(主制御装置)
実施例のパチンコ機１０の遊技を総合的に制御する主制御装置の主制御基板は、設置部材４０における設置壁部４１の下板部の後側(図柄表示装置４５の配設位置の下側)に、基板ケースに収容されて配設されている。主制御基板は、制御動作を所定の手順で実行することができるメイン制御ＣＰＵ、メイン制御ＣＰＵの制御プログラムを格納するメイン制御ＲＯＭおよび必要なデータの書き込みおよび読み出しができるメイン制御ＲＡＭを備えている。
【００２８】
主制御基板は、大当り判定用乱数、大当り図柄用乱数、変動パターン振分用乱数、普図当り判定用乱数等の各種乱数の値を所定の周期毎に更新し、更新後の値をメイン制御ＲＡＭの設定領域に記憶(設定)することで更新前の値を書き換えており、乱数更新処理(乱数生成処理)を実行するようになっている。例えば、主制御基板では、第１始動入賞装置３０または第２始動入賞装置の始動入賞センサから検出信号が入力されると、メイン制御ＣＰＵがメイン制御ＲＯＭから大当り判定用乱数を取得し、この大当り判定用乱数とメイン制御ＲＯＭに記憶されている大当り判定値とを比較し、大当りとするか否かの大当り判定(大当り抽選)を行う。また主制御基板では、大当り判定の結果が肯定の場合には、変動パターンテーブルから大当り演出用の変動パターンを決定する。これに対して、大当り判定の結果が否定の場合には、変動パターンテーブルからはずれ演出用の変動パターンを決定する。大当り演出用およびはずれ演出用の変動パターンの決定は、大当り判定と同様に、メイン制御ＣＰＵがメイン制御ＲＯＭから取得した乱数により行う。なお、変動パターンテーブルから決定される大当り演出およびはずれ演出の変動パターンは、少なくとも図柄変動ゲームの変動時間および演出内容を特定するものである。そして、パチンコ機１０では、主制御基板の大当り判定の結果に応じて出力された演出制御基板の制御信号に基づいて、図柄表示装置４５に所定の演出表示を行わせると共に、主制御基板の制御により出力された球払出しに係る制御信号に基づいて、図示しない球払出装置によって所定数の賞球が上球皿１４へ払い出される。
【００２９】
(演出制御装置)
演出制御装置４６の演出制御基板には、演出制御ＣＰＵが備えられると共に、該演出制御ＣＰＵには、演出制御ＲＯＭおよび演出制御ＲＡＭが接続されている。また、演出制御ＣＰＵは、実行可否判定用乱数や動作演出パターン抽選用乱数等の各種乱数の値を所定の周期毎に更新し、更新後の値を演出制御ＲＡＭの設定領域に記憶(設定)して更新前の値を書き換えている。更に、演出制御ＲＯＭには、図柄表示装置４５の表示部４５ａにおける演出内容を制御する表示制御基板、前枠１３等に配設されたランプ装置を制御するランプ制御基板を制御するプログラムや、外枠１１等に配設されたスピーカを制御する音制御基板等を制御するプログラムや、実施例の可動演出装置５０およびその他の演出装置を作動制御するプログラム等が記憶されている。
【００３０】
演出制御ＣＰＵは、各種制御コマンドを入力すると、演出制御プログラムに基づき各種制御を実行する。例えば、演出制御基板では、主制御基板のメイン制御ＣＰＵから変動パターン指定コマンドが入力されると、演出制御ＣＰＵが演出制御ＲＯＭから実行可否判定用乱数を取得し、この実行可否判定用乱数と演出制御ＲＯＭに記憶されている実行可否判定値とを比較し、実施例の可動演出装置５０において回転表示体５２による演出を実行するか否かの実行可否判定を行う。そして、演出制御基板は、実行可否判定の結果が肯定の場合において、可動演出装置５０を動作させる。
【００３１】
(可動演出装置)
次に、可動演出装置５０につき、図面を引用して説明する。なお、以下の説明において、可動演出装置５０の「前」、「後」、「左」、「右」とは、特に断りのない限り、設置部材４０の設置壁部４１に取り付けた可動演出装置５０をパチンコ機１０の前側から見た状態で指称する。
【００３２】
実施例のパチンコ機１０では、図２および図３に示すように、設置部材４０の設置壁部４１の左板部に配設されて演出窓口２６ａ内の左側に臨むと共に該設置壁部４１の右板部４１ａに配設されて演出窓口２６ａ内の右側に臨む左右一対の可動演出装置５０,５０を備えている。左の可動演出装置５０および右の可動演出装置５０は、各構成部材が左右対称形状をなすだけで基本的な構成は同じである。そこで、右の可動演出装置５０について説明し、左の可動演出装置５０については、右の可動演出装置５０と同一部材、部位は同一の符号を付して説明は省略する。
【００３３】
可動演出装置５０は、図４〜図７に示すように、設置部材４０に取り付けられる装置本体５１と、装置本体５１に対して移動および姿勢変位可能に配設される回転表示体５２とを備えている。可動演出装置５０は、装置本体５１に対して、回転表示体５２を支持する支持体１１５を第１位置および該第１位置から離間した第２位置の間で往復移動させる進退動作機構５３と、装置本体５１に対して、回転表示体５２を第１姿勢および第２姿勢の間で姿勢変位させる姿勢切替機構５４とを備えており、回転表示体５２が装置本体５１に対して往復移動および姿勢変位が可能となっている。ここで、実施例では、回転表示体５２の第１姿勢が、該回転表示体５２の外周壁部５２ａがパチンコ機１０の前方を指向する姿勢であり(図２参照)、回転表示体５２の第２姿勢が、該回転表示体５２の外端壁部５２ｂがパチンコ機１０の前方を指向する姿勢である(図３参照)。
【００３４】
(装置本体５１について)
装置本体５１は、図４〜図７に示すように、設置部材４０の設置壁部４１における右板部４１ａ(左の可動演出装置５０は設置壁部４１の右板部)にネジにより固定される第１ベース部材６０と、該第１ベース部材６０の前側に組み付けられる第２ベース部材６１とを備えている。第１ベース部材６０および第２ベース部材６１は、両部材の上部分および下部分で互いに連結されると共に、上部分と下部分との間においては前後に離間しており、進退動作機構５３および姿勢切替機構５４を配設するための本体空間６２が、第１および第２ベース部材６０,６１の間に画成されている。
【００３５】
(第１ベース部材６０について)
第１ベース部材６０は、図７〜図９に示すように、第１ベース部６３と、第１ベース部６３の上部に連設され、該第１ベース部６３から側方へ延在する第２ベース部６４と、第１ベース部６３の下部に連設され、該第１ベース部６３から側方へ延出する第３ベース部６５とを備えている。第２ベース部６４および第３ベース部６５は、第１ベース部６３に対して、該第１ベース部６３の左縁から左方へ延出している。第１ベース部材６０は、第１ベース部６３、第２ベース部６４および第３ベース部６５が一体に形成されたブロック状部材であり、夫々のベース部６３,６４,６５の外縁部および後面に、後方に向け突出した複数のリブ片が設けられており(図７参照)、撓み変形や捻れ変形が発現し難く構成されている。
【００３６】
第１ベース部６３には、前方へ開口すると共に後方へ凹んだ凹部６６が形成されており(図４。図１５参照)、第１姿勢に姿勢変位した回転表示体５２との干渉が回避されるように構成されている。第２ベース部６４の前側には、スライド方向が左右方向となる向きで後述するスライドレール９５が取り付けられるようになっている。また、第３ベース部６５の前面には、左右方向に延在すると共に上方および左方へ開口するガイドレール５６が形成されたレール部材５５が取り付けられている。スライドレール９５およびガイドレール５６は、進退動作機構５３を構成する移動体７０を、第１ベース部材６０に対して往復移動可能に支持するようになっている。
【００３７】
(レール形成部)
図７、図９および図１１に示すように、第１ベース部材６０の第２ベース部６４および第３ベース部６５に、前方へ延出すると共に左右方向へ延在するレール形成部５７,５７が設けられている。各レール形成部５７,５７には、前述した姿勢切替機構５４を構成するカムレール(第１ガイド部)１３５が夫々形成されている。なお、カムレール１３５の詳細については後述する。また、上および下のレール形成部５７,５７の前端部には、第２ベース部材６１を組み付けるネジ(図示せず)が締結されるネジ孔および位置決めボスが設けられている。
【００３８】
(第２ベース部材)
第２ベース部材６１は、図５〜図７に示すように、第４ベース部６７と、第４ベース部６７から上方へ延出する第５ベース部６８とを備えている。第２ベース部材６１は、第４ベース部６７および第５ベース部６８が一体に形成された板状部材であり、外縁部や前面面に複数のリブが設けられ(図５、図６参照)、撓み変形や捻れ変形が発現し難く構成されている。第２ベース部材６１は、第１ベース部材６０と組み付けることで、第４ベース部６７が第１ベース部６３の前方に対向すると共に、第５ベース部６８は第１ベース部材６０よりも上方へ延出した状態となる(図７参照)。第４ベース部６７は、第５ベース部６８と比べて左右幅が狭くかつ、右方へ偏って設けられており、第２姿勢となった回転表示体５２との干渉が回避されるようになっている(図１４参照)。第５ベース部６８には、進退動作機構５３を構成する第１駆動モータ(第２駆動手段)７３、作動レバー７２および第１駆動モータ７３と作動レバー７２とを連係する第１従動ギア１０８が配設されるようになっている。
【００３９】
第２ベース部材６１の前面には、図４、図１５および図１７に示すように、第１照明基板１７５および透光性を有する前面装飾部材１７６が前後に重ねて配設されるようになっている。第１照明基板１７５には、サブ制御基板により発光制御される複数の第１ＬＥＤ１７５ａが配設されており(図１５参照)、前側に重なった前面装飾部材１７６の後面に光を照射することで、該前面装飾部材１７６が明輝するよう構成されている。ここで、装置本体５１に配設された前面装飾部材１７６は、図４に示すように、遊技盤２０における遊技領域２１の後側に位置するようになり、該遊技盤２０が透明板材であるので透視可能となっており、第１ＬＥＤ１７５ａにより明輝した状態が視認されるようになっている(図２、図３では図示省略してある)。
【００４０】
(進退動作機構)
進退動作機構５３は、回転表示体５２を回転可能に支持する支持体１１５を、第１位置(図４、図５、図９、図１０参照)および該第１位置から離間した第２位置(図７、図１３、図１４参照)の間で往復移動させて、回転表示体５２の位置を変更させ得るよう構成されている。支持体１１５の第１位置は、第２位置よりも装置本体５１に近接した側に設定されている。すなわち、支持体１１５は、進退動作機構５３により、装置本体５１に近接した第１位置および該第１位置よりも装置本体５１から離間した第２位置の間を往復移動するよう構成され、これにより回転表示体５２の位置が変更される。実施例の可動演出装置５０は、支持体１１５の第２位置が、第１位置よりも左方に設定されており、進退動作機構５３の動作により、支持体１１５は左右方向へ往復移動するようになっている。
【００４１】
進退動作機構５３は、図９、図１１、図１３、図１５および図１７に示すように、装置本体５１に往復移動可能に配設されて、前述した支持体１１５が配設された移動体７０と、該移動体７０に連係した状態で装置本体５１に姿勢変位可能に配設された作動レバー７２と、装置本体５１に配設されて、移動体７０を姿勢変位させる作動手段としての第１駆動モータ７３とを備えている。第１駆動モータ７３は、サブ制御基板の制御により正逆回転が可能に構成されると共に、該第１駆動モータ７３の正逆回転により作動レバー７２が姿勢変位することで、移動体７０が往復移動するように構成されている。
【００４２】
(移動体)
移動体７０は、図１３、図１５および図１７に示すように、前述したスライドレール９５およびガイドレール５６に支持されるスライド部材７５と、該スライド部材７５に取り付けられて前述した支持体１１５を姿勢変位可能に支持する支持台部材７６とを備えている。スライド部材７５は、装置本体５１における第２ベース部６４の前側から第３ベース部６５の前側まで延在する板状部材であり、上下方向が長手となる縦長の部材取付部７７と、該部材取付部７７の上部から左方へ延出するレール取付部７８と、作動レバー７２が連結される移動連係部７９とを備えている。部材取付部７７の前側に、スライド部材７５と別体に形成された前述の支持台部材７６が取り付けられると共に、レール取付部７８の後側に、装置本体５１の第１ベース部材６０に取り付けられたスライドレール９５の移動レール部材５５が取り付けられる。また、スライド部材７５における部材取付部７７の下縁には、装置本体５１の第１ベース部材６０に取り付けられたガイドレール５６に摺動可能に係合するガイド片８０が、該部材取付部７７から下方へ延出すると共に左右方向へ延在するように設けられている。移動連係部７９は、部材取付部７７の右縁上下略中央から右方へ延出する連結片に設けられ、該連結片に左右方向へ開口すると共に上下方向に長い長孔となっている。
【００４３】
このようなスライド部材７５は、図１１、図１５および図１７に示すように、ガイド片８０をガイドレール５６に差し込むと共に、レール取付部７８をスライドレール９５の移動レール部材５５に取り付けることで、装置本体５１の第１ベース部材６０に対して縦向きに取り付けられる。そして、スライド部材７５は、スライドレール９５の伸縮およびガイドレール５６に対するガイド片８０の摺動により、部材取付部７７が第１ベース部材６０の第１ベース部６３と前後に重なって本体空間６２内に収容された収容位置(図４参照)と、該部材取付部７７が第１ベース部材６０の左方に位置して本体空間６２から延出した延出位置(図７参照)との間を往復移動が可能となっている。
【００４４】
部材取付部７７の後面には、第１検出片８１が後方へ延出した状態で設けられており(図７参照)、該第１検出片８１は、スライド部材７５が収容位置において、第１ベース部材６０の第１ベース部６３に配設された第１位置検出センサ８２(図７参照)に検出されるようになっている。この第１検出片８１が第１位置検出センサ８２で検出された位置が、移動体７０の収容位置であると同時に、該移動体７０に姿勢変位可能に支持された支持体１１５の第１位置に対応する。
【００４５】
移動体７０を構成する支持台部材７６は、図７、図９、図１１、図１５および図１７に示すように、スライド部材７５に固定される取付部８５と、取付部８５の両端からスライド部材７５から離間する方向へ立ち上がった一対の支持アーム部８６,８６とを備えている。取付部８５は、長手が上下方向となる板状部であり、該取付部８５の上縁および下縁から支持アーム部８６,８６が上下に離間して設けられている。
【００４６】
各支持アーム部８６,８６は、図７、図９、図１１、図１５および図１７に示すように、取付部８５から前方へ延出する基部８７と、該基部８７から右斜め前方へ延出する延出部８８とを備え、基部８７と延出部８８との境界部で折曲している。各支持アーム部８６,８６は、基部８７および延出部の外縁にリブ片が延設されており、回転および姿勢変位する回転表示体５２を支持するのに必要な強度が確保されている。そして、各支持アーム部８６,８６は、先端部が装置本体５１の第２ベース部材６１よりも前方まで延出しており(図１０、図１２、図１４参照)、該先端部には、上下方向に貫通するアーム支持孔８９が形成されている(図１５、図１７参照)。各支持アーム部８６,８６のアーム支持孔８９,８９は、上下方向(垂直方向)に延在する同一軸線上に位置するように形成されており、支持体１１５を姿勢変位可能に連結するための支持軸１２２が挿通支持されるようになっている。なお、アーム支持孔８９の軸心は、第２ベース部材６１の前面より前方に位置している(図１０参照)。
【００４７】
また、図１０、図１５および図１７に示すように、各支持アーム部８６,８６には、姿勢切替機構５４を構成する連係部材１３７を回転可能に支持するアーム支軸９０が設けられている。このアーム支軸９０は、支持アーム部８６における基部８７に設けられている。上の支持アーム部８６においては、基部８７の上面からアーム支軸９０が上方へ突出するように設けられ、下の支持アーム部８６においては、基部８７の下面からアーム支軸９０が下方へ突出するように設けられている。両アーム支軸９０,９０は、上下方向(垂直方向)において同一軸線上に位置するように設けられている。なお、アーム支軸９０は、アーム支持孔８９より後方に位置している(図１０参照)。
【００４８】
(スライドレール)
スライドレール９５は、図７、図１５および図１７に示すように、固定支持レール９６と、該固定支持レール９６にその長手方向へスライド移動可能に配設されたスライダ９７と、固定支持レール９６に対してスライダ９７を挟んで対向して配設され、該スライダ９７にスライド移動可能に配設された移動支持レール９８とから構成されている。このスライドレール９５は、長手方向(スライド方向)が左右方向となる向きで、固定支持レール９６が第１ベース部材６０の第２ベース部６４に固定されると共に、移動支持レール９８がスライド部材７５のレール取付部７８に固定されている。スライドレール９５は、固定支持レール９６と移動支持レール９８とが前後方向で整合した重なり状態と、移動支持レール９８が左方へ移動して該固定支持レール９６から左方へ延出したスライド状態となるよう構成されている。従って、スライド部材７５(移動体７０)は、スライドレール９５が重なり状態となることで装置本体５１に対する収容位置となり、スライドレール９５がスライド状態となることで該装置本体５１から左方へ移動した延出位置となり、当該スライドレール９５およびガイドレール５６に支持された状態で収容位置および延出位置の間を左右に往復移動するようになる。なお、実施例のスライドレール９５は、固定支持レール９６、スライダ９７および移動支持レール９８が金属製であり、移動支持レール９８および固定支持レール９６に撓み変形や捻れ変形が発現し難くなっており、移動体７０および回転表示体５２の安定的な支持および移動が可能となっている。
【００４９】
(作動レバー)
作動レバー７２は、図９、図１１および図１３に示すように、装置本体５１における第２ベース部材６１の第５ベース部６８に支持されたレバー支軸１００に対し、往復回転可能に配設されている。レバー支軸１００は、第５ベース部６８の後面における後述する第１従動ギア１０８の右側(図７では左側)において、前方へ延出して軸心が前後方向に向き姿勢で該第５ベース部６８に支持されており、該レバー支軸１００に軸支された作動レバー７２は、第２ベース部材６１の後面と平行な垂直面で回転するようになっている。このような作動レバー７２は、レバー支軸１００に支持される支持基部１０１から第５ベース部６８に配設された第１従動ギア１０８と前後に重なる方向へ延在した第１レバー部１０２と、支持基部１０１から第４ベース部６７と前後に重なる方向へ延出した第２レバー部１０３とを備えている。実施例の作動レバー７２は、レバー支軸１００を中心とした第１レバー部１０２と第２レバー部１０３との内角が約１００°となっており、略「く」字形に形成されている。また、作動レバー７２は、第１レバー部１０２よりも第２レバー部１０３の方が長くなっている。
【００５０】
図９、図１３、図１５および図１７に示すように、第１レバー部１０２の先端部には、第１従動ギア１０８に設けられたギア連係部１０９に連係する第１レバー連係部１０４が設けられている。実施例の第１レバー連係部１０４は、ピン状をなすギア連係部１０９(図７、図１７参照)が移動可能に係合する長孔である。また、第２レバー部１０３の先端部には、スライド部材７５に設けられた移動連係部７９に連係する第２レバー連係部１０５が設けられている。第２レバー連係部１０５は、第２レバー部１０３の先端部から後方へ延出して、長孔に形成された前述の移動連係部７９に挿通して係合するガイドピンであり、該移動連係部７９に対して長手方向に移動可能に係合するようになっている。ここで、ギア連係部１０９は、後述するように、第１従動ギア１０８の回転に伴って円弧状に上下方向へ移動するようになっている。従って、レバー支軸１００に支持された作動レバー７２は、ギア連係部１０９が上下方向へ移動して第１レバー部１０２の先端部が上下方向に往復移動することで回転し、これに伴って第２レバー部１０３の先端部が左右方向へ往復移動するようになる。すなわち、第１従動ギア１０８の回転に伴って作動レバー７２がレバー支軸１００を中心に往復回転することで、第２レバー部１０３の先端部に設けられた第２レバー連係部１０５が左右方向へ円弧状に往復移動し、装置本体５１に対する移動体７０の左右方向への往復移動が生起される。なお、図９に示すように、レバー支軸１００には捻りバネ１０６が配設され、該捻りバネ１０６の一方脚部が装置本体５１に係止されると共に他方脚部が第２レバー部１０３に係止されており、該捻りバネ１０６は、移動体７０を延出位置側へ押すように作動レバー７２を付勢している。
【００５１】
(第１駆動モータおよび第１従動ギア)
図５〜図７に示すように、第２ベース部材６１の第５ベース部６８は、上側部分と下側部分との間に段差が設けられ、この段差部には上下方向に開口した開口部１０７が形成されている。すなわち、第５ベース部６８の上側部分は、該第５ベース部６８の下側部分より後方へ離間しており、前述した第１駆動モータ７３が上側部分に設置されると共に、下側部分に前述した第１従動ギア１０８が回転自在に配設されている。第５ベース部６８の上側部分には、第１駆動モータ７３の駆動軸７３ａが挿通可能な開口が形成されており、該第１駆動モータ７３は、該上側部分の後側に、駆動軸７３を開口に挿通して前側へ延出させた姿勢で固定される。そして、上側部分の前側に延出した第１駆動モータ７３の駆動軸７３ａに駆動ギア１１０が固定され、該駆動ギア１１０の歯部が前述した開口部１０７に臨んでいる(図５、図６参照)。一方、第５ベース部６８の下側部分には、第１従動ギア１０８の円形凸部１０８ａ(図１５参照)が嵌合する円形凹部１１１が形成されると共に、該円形凹部１１１の中央には、後方へ延出したギア支軸１１２が設けられている(図１７参照)。そして、ギア支軸１１２に第１従動ギア１０８が回転自在に支持され、該第１従動ギア１０８の歯部が開口部１０７に臨んで第１従動ギア１０８に噛み合っている(図５参照)。
【００５２】
(ギア連係部)
第１従動ギア１０８に設けられたギア連係部１０９は、図７および図１７に示すように、該第１従動ギア１０８の端面において、ギア中心から半径方向へ離間した位置に、後方に向けて延出したピン状部である。ここで、第１従動ギア１０８は、図９、図１１および図１３に示すように、ギア連係部１０９が前側から見て左方へ凸となる円弧軌道を移動するように往復回転するようになっており、これにより該ギア連係部１０９が上下方向において移動量Ｌ１の範囲で往復移動するようになっている。従って、ギア連係部１０９に連係された作動レバー７２は、図９に示す第１作動位置および図１３に示す第２作動位置の間を往復回転するようになり、第２レバー部１０３の先端部に設けられた第２レバー連係部１０５は左右方向において移動量Ｌ２(図１３参照)の範囲で往復移動するようになる。従って、作動レバー７２に連係された移動体７０は、前述した移動量Ｌ２の範囲で装置本体５１に対して左右方向へ往復移動するようになる。
【００５３】
(支持体)
移動体７０の支持台部材７６に配設される支持体１１５は、図７、図１５および図１７に示すように、支持台部材７６に対して姿勢変位可能に支持されると共に、回転表示体５２を回転可能に支持するようになっている。そして、支持体１１５は、姿勢切替機構５４により姿勢変位して、回転表示体５２の第１姿勢および第２姿勢の間の姿勢変位を生起させるようになっている。ここで、実施例の支持体１１５は、移動体７０の支持台部材７６における支持アーム部８６,８６に支持される第１支持部材１１６と、第１支持部材１１６に組み付けられると共に回転表示体５２を回転可能に支持する第２支持部材１１７とから構成されている。
【００５４】
(第１支持部材)
第１支持部材１１６は、図７、図１５および図１７に示すように、支持台部材７６の上下の各支持アーム部８６に連結される一対の支持連結部１１８,１１８と、両支持連結部１１８,１１８の間に位置して該支持連結部１１８,１１８に一体に形成されたカバー部１１９とを備えている。各支持連結部１１８,１１８は、水平方向に延出する支持壁１２０を備え、該支持壁１２０には、支持アーム部８６に形成されたアーム支持孔８９に挿通支持される支持軸１２２が挿通する軸孔１２１が形成されている。軸孔１２１は、支持壁１２０の上面および下面に開口する貫通孔であり、各支持壁１２０,１２０に形成された軸孔１２１,１２１は上下方向において同一軸線上に位置している。
【００５５】
(第２ギア部)
図５、図７および図９に示すように、各支持連結部１１８,１１８の支持壁１２０には、姿勢切替機構５４を構成する第２ギア部(第２連係部)１２３が設けられている。第２ギア部１２３は、支持壁１２０の縁部に、軸孔１２１を中心とする半円弧状に形成されている。この第２ギア部１２３は、姿勢切替機構５４を構成して支持アーム部８６に配設された後述の連係部材１３７に設けられた第１ギア部(第１連係部)１３８と噛み合うようなっている。すなわち、図１０、図１２および図１４に示すように、アーム支軸９０と支持軸１２２を結ぶ線上で各第２ギア部１２３,１２３と各第１ギア部１３８,１３８とが噛み合うことにより、連係部材１３７,１３７の往復回転に連動して、支持軸１２２を中心とした第１支持部材１１６の往復回転が生起されるよう構成されている。
【００５６】
カバー部１１９は、図５、図７、図１５および図１７に示すように、各支持連結部１１８,１１８から第２支持体１１５と反対方向へ立ち上がる一対の第１壁部１２４,１２４と、両縦壁の端縁に連設されて、第２支持体１１５から離間して対向する第２壁部１２５とを備え、第２支持部材１１７との間に空間を画成するようになっている。カバー部１１９は、第２支持部材１１７に配設された後述する第２従動ギア１５６を覆うようになっている(図７参照)。そして、カバー部１１９は、後述する第１配線Ｃ１および第２配線(配線)Ｃ２と第２従動ギア１５６との接触を阻止するようになっている。なお、カバー部１１９の第１壁部１２４と支持連結部１１８の支持壁１２０とは、支持台部材７６の支持アーム部８６の先端部が収容可能な間隔に離間している(図７参照)。
【００５７】
(第２支持部材)
第２支持部材１１７は、図５、図７、図１５および図１７に示すように、回転表示体５２の開口を塞ぐ円形状に形成されている。第２支持部材１１７には、回転表示体５２を回転可能に支持する回転シャフト１５５を支持する軸支持部１３０と、該回転シャフト１５５を回転させて回転表示体５２を回転させる第２駆動モータ(第１駆動手段)１５２を固定するモータ固定部１３１とが設けられている。また、第２支持部材１１７の裏面には、第１支持部材１１６を組み付けるネジが締結される複数のネジ締結部が設けられている。
【００５８】
(姿勢切替機構)
姿勢切替機構５４は、図９〜図１４に示すように、第１駆動モータ７３により動作して支持体１１５の姿勢を変位させ、回転表示体５２を、第１表示面１４８および第２表示面１４９が夫々所定方向に向いた第１姿勢と、第１表示面１４８および第２表示面１４９が第１姿勢時とは異なる方向に夫々向いた第２姿勢とに姿勢変位させる機構である。実施例の姿勢切替機構５４は、進退動作機構５３における移動体７０の収容位置および延出位置の間の往復移動による回動表示体５２の位置変更に連動して、該回転表示体５２の第１表示面１４８がパチンコ機１０の前方を向くようにした第１姿勢と、該回転表示体５２の第２表示面１４９がパチンコ機１０の前方を向くようにした第２姿勢の間で姿勢変位させるよう構成されている。姿勢切替機構５４は、装置本体５１に設けられた第１ガイド部１３５と、支持体１１５に連係され、進退動作機構５３における移動体７０の往復移動時に第１ガイド部１３５に案内される第２ガイド部(第２ガイド部)１３６とを備えている。すなわち、進退動作機構５３の移動体７０の往復移動に伴って第２ガイド部１３６が第１ガイド部１３５に案内されることで支持体１１５が姿勢変位し、該支持体１１５に回転可能に支持された回転表示体５２を第１姿勢および第２姿勢に姿勢変位するよう構成されている。
【００５９】
具体的に、姿勢切替機構５４は、図９〜図１５および図１７に示すように、装置本体５１の第１ベース部材６０に設けられた第１ガイド部としての前述した一対のカムレール１３５と、進退動作機構５３における移動体７０の支持台部材７６に設けたアーム支軸９０に回転自在に支持された前述の連係部材１３７と、各連係部材１３７,１３７に連結されると共にカムレール１３５に係合した第２ガイド部としてのガイドバー１３６と、該連係部材１３７に設けられた第１連係部としての第１ギア部１３８と、支持体１１５の第１支持部材１１６に設けられて第１ギア部１３８に噛み合う第２連係部としての前述の第２ギア部１２３とから構成されている。そして、進退動作機構５３の移動体７０の収容位置および延出位置の間の往復移動に伴ってガイドバー１３６がカムレール１３５に沿って案内されることで連係部材１３７が回転変位し、該連係部材１３７の回転変位に伴って支持体１１５が姿勢変位するよう構成されている。
【００６０】
(カムレール)
第１ベース部材６０におけるレール形成部５７,５７に形成されたカムレール１３５は、図９〜図１４に示すように、進退動作機構５３の移動体７０の移動方向に延在しており、移動体７０の移動方向における該カムレール１３５の延在長は、該移動体７０の収容位置および延出位置の間の移動長(移動量Ｌ２)以上に設定されている。ここでカムレール１３５は、移動体７０の移動方向において、該移動体７０の収納位置側から移動位置側に向けて第１レール部１３５ａ、第２レール部１３５ｂおよび第３レール部１３５ｃから構成されている。そして、移動体７０が収納位置においては、ガイドバー１３６が第１レール部１３５ａの端部近傍(第２レール部１３５ｂ側と反対側の端部近傍)に位置し、移動体７０が収納位置から延出位置に向けて移動する際は、ガイドバー１３６が第１レール部１３５ａ→第２レール部１３５ｂ→第３レール部１３５ｃと移動するよう構成されている。また、移動体７０が延出位置においては、ガイドバー１３６が第３レール部１３５ｃの端部近傍(第２レール部１３５ｂ側と反対側の端部近傍)に位置し、移動体７０が延出位置から収容位置に向けて移動する際は、ガイドバー１３６が第３レール部１３５ｃ→第２レール部１３５ｂ→第１レール部１３５ａと移動するよう構成されている。
【００６１】
(連係部材)
連係部材１３７は、図９および図１０に示すように、アーム支軸９０に支持される基部１４０から該アーム支軸９０の軸心方向と交差した方向へ延出した第１連結片１４１と、基部１４０からアーム支軸９０の軸心方向と交差し、かつ第１連結片１４１と異なる方向へ延出した第２連結片１４２とを備えており、アーム支軸９０を中心として第１連結片１４１と第２連結片１４２とが回転するようになっている。第１連結片１４１の先端部、すなわち連係部材１３７の回転中心から所要距離離間した位置にガイドバー１３６が挿通されている。また、第２連結片１４２の縁部は、連結部材１３７の回転中心を中心とする円弧に形成されて、前述した第１ギア部１３８が形成されている。従って、連係部材１３７は、カムレール１３５に案内されるガイドバー１３６とアーム支軸９０との相対位置が変化することによりアーム支軸９０を中心として往復回転し、これにより第１ギア部１３８が移動することで支持体１１５の第２ギア部１２３が回転して、該支持体１１５が支持軸１２２を中心として姿勢変位するようになる。
【００６２】
(ガイドバー)
ガイドバー１３６は、図１１および図１３に示すように、直線状に形成された棒状部材であり、一端部が一方のカムレール１３５に差し込まれると共に、他端部が他方のカムレール１３５に差し込まれることで、レール形成部５７,５７に架設されている。また、ガイドバー１３６は、移動体７０の支持アーム部８６,８６に配設された各連係部材１３７の第１連結片１４１に挿通支持されている。
【００６３】
(カムレール１３５と連係部材１３７の回転中心との上下方向における位置関係について)
図１２および図１４に示すように、第１レール部１３５ａは、上下方向において、移動体７０の往復移動に伴った連係部材１３７の回転中心(すなわち、アーム支軸９０)の移動軌跡と平行な直線に延在している。また、第１レバー部１０２は、上下方向において、アーム支軸９０の移動軌跡Ｓに対して後方へずれた位置に設けられている。第２レール部１３５ｂは、上下方向において、アーム支軸９０の移動軌跡と交差するように延在している。すなわち、第２レール部１３５ｂは、第１レール部１３５ａ側がアーム支軸９０の移動軌跡より後側に位置すると共に、第３レール部１３５ｃ側がアーム支軸９０の移動軌跡より前側に位置し、第１レール部１３５ａ側から第３レール部１３５ｃ側にいくにつれて前方へ変位する直線に延在している。第３レール部１３５ｃは、上下方向において、アーム支軸９０の移動軌跡と平行な直線に延在している。また、第３レール部１３５ｃは、上下方向において、アーム支軸９０の移動軌跡に対して前方へずれた位置に設けられている。
【００６４】
従って、ガイドバー１３６が第１レール部１３５ａを往復移動する際には、アーム支軸９０に配設された連係部材１３７は、図１０に示す第１連係姿勢に保持される。また、ガイドバー１３６が第３レール部１３５ｃを往復移動する際には、アーム支軸９０に配設された連係部材１３７は、第１連係姿勢から所要角度に回転した図１４に示す第２連係姿勢に保持される。そして、ガイドバー１３６が第２レール部１３５ｂを第１レール部１３５ａ側から第３レール部１３５ｃ側へ移動する際に、アーム支軸９０に配設された連係部材１３７は、第１連係姿勢から第２連係姿勢に向けて徐々に回転するようになり(図１２参照)、ガイドバー１３６が第２レール部１３５ｂを第３レール部１３５ｃ側から第１レール部１３５ａ側へ移動する際に、アーム支軸９０に配設された連係部材１３７は、第２連係姿勢から第１連係姿勢に向けて徐々に回転するようになる。すなわち、各連係部材１３７は、進退動作機構５３の移動体７０が収容位置から延出位置にむけて移動する際に、ガイドバー１３６がカムレール１３５の第２レール部１３５ｂを移動する際に第１連係姿勢から第２連係姿勢に切り替わり、進退動作機構５３の移動体７０が延出位置から収容位置にむけて移動する際に、ガイドバー１３６がカムレール１３５の第２レール部１３５ｂを移動する際に第２連係姿勢から第１連係姿勢に切り替わる。
【００６５】
(連係部材と支持体の姿勢との関係について)
第１ギア部１３８および第２ギア部１２３の噛み合いにより連係部材１３７,１３７に連係した支持体１１５は、該連係部材１３７,１３７の第１連係姿勢において、第２支持部材１１７が側方(実施例では左方)を向いた姿勢となり、回転表示体５２を第１姿勢にする(図９、図１０参照)。また、支持体１１５は、連係部材１３７,１３７の第２連係姿勢において、第２支持部材１１７が前方を向いた姿勢となり、回転表示体５２を第２姿勢にする(図１３、図１４参照)。そして、連係部材１３７,１３７の第１連係姿勢から第２連係姿勢への回転変位に連動して支持体１１５が姿勢変位することで、回転表示体５２が第１姿勢から第２姿勢に姿勢変位し、連係部材１３７,１３７の第２連係姿勢から第１連係姿勢への回転変位に連動して支持体１１５が姿勢変位することで、回転表示体５２が第２姿勢から第１姿勢に姿勢変位する。
【００６６】
(回転表示体の姿勢変位のタイミングについて)
各ガイドレール５６,５６に第１レール部１３５ａが設けられていることで、移動体７０に移動に伴って第１位置から第２位置に向けて移動する支持体１１５は、ガイドバー１３６が第１レール部１３５ａと第２レール部１３５ｂとの境界部に一致する位置(以降「中途位置」と云う)に移動するまでは、回転表示体５２を第１姿勢に保持するようになっている。すなわち、支持体１１５は、第１位置から第１レール部１３５ａの延在長Ｌ３(図９参照)だけ第２位置側に離間した中途位置までの間にある場合に回転表示体５２を第１姿勢に保持し、該支持体１１５が中途位置から第２位置までの間において、回転表示体５２を第１姿勢および第２姿勢に姿勢変位させ得る。換言すると、実施例の姿勢切替機構５４は、回転表示体５２が第１姿勢に保持されながら装置本体５１から延在長Ｌ３だけ離間移動してから、移動方向において第１姿勢よりも幅広の第２姿勢に該回転表示体５２を姿勢変位すると共に、装置本体５１から離間した位置で回転表示体５２を第２姿勢から第１姿勢に姿勢変位した後に、第１姿勢の状態で該回転表示体５２を装置本体５１に近接移動するようになっている。これにより、回転表示体５２が第１姿勢より幅広の第２姿勢に姿勢変位する際に、該回転表示体５２が装置本体５１や、枠状装飾部材２６および遊技盤２０と干渉することを防止し得るよう構成されている。
【００６７】
(回転表示体)
回転表示体５２は、図４〜図８、図１６および図１８に示すように、回転方向に連なる外周壁部５２ａおよび該外周壁部の一方端縁に連なる外端壁部５２ｂを有している。回転表示体５２は、外周壁部５２ａが円筒形に形成されると共に、外周壁部５２ａの他方端縁側が開口している。回転表示体５２は、外周壁部５２ａおよび外端壁部５２ｂが一体に形成されると共に、透明または半透明で透光性を有する表示本体１４５と、該表示本体１４５の外側に装着される装飾部材１４６とを備えており、該装飾部材１４６における外周壁部５２ａに対応する部位に、同一サイズの複数(実施例では３つ)の開口が、該外周壁部５２ａの周方向へ並んで形成されていると共に、該装飾部材１４６における外端壁部５２ｂに対応する部位に、複数(実施例では５つ)の開口が、周方向へ並んで形成されている。また、表示本体１４５における外周壁部５２ａの外側には、装飾部材１４６の各開口に対応して絵柄や文字等のデザインが施された透光性を有するフィルム部材１４７が配設されている。これにより、回転表示体５２の外周壁部５２ａには、装飾部材１４６の開口により画成された複数(実施例では３つ)の第１表示面１４８が設けられると共に、該回転表示体５２の外端壁部５２ｂには、該外端壁部５２ｂ全体により第２表示面１４９が設けられている。そして、回転表示体５２の外端壁部５２ｂの内側中心部には、支持体１１５の第２支持部材１１７に回転自在に支持された後述の回転シャフト１５５の他端部側に固定されるボス部１５０が設けられており、該回転シャフト１５５にボス部１５０が固定された当該回転表示体５２は、第２駆動モータ１５２の回転に伴って回転する回転シャフト１５５と一緒に回転するようになっている。また、回転表示体５２は、前述した進退動作機構５３による支持体１１５の往復移動に基づいて、装置本体５１に対して左右方向へ往復移動するようになっている。更に、回転表示体５２は、前述した姿勢切替機構５４による支持体１１５の姿勢変位に基づいて、第１表示面１４８がパチンコ機１０の前方に向いた第１姿勢(図２、図４参照)と、第２表示面１４９がパチンコ機１０の前方に向いた第２姿勢(図３、図１３参照)に姿勢変位するようになっている。
【００６８】
(第２駆動モータ)
第２駆動モータ１５２は、図１６および図１８に示すように、支持体１１５の第２支持部材１１７に設けられたモータ固定部１３１に対して回転表示体５２側から固定され、該モータ固定部１３１に設けられた開口を介して駆動軸１５２ａが第２支持部材１１７の裏側に延出させた状態となっている。そして、駆動軸１５２ａの先端には第２駆動ギア１５３が固定されている。第２駆動モータ１５２は、例えばステッピングモータであり、駆動軸１５２ａを所定の回転角度だけ回転させ得ると共に所要角度で停止可能となっている。なお、第２駆動モータ１５２は、回転表示体５２の内側空間内に収容された状態で第２支持部材１１７に配設されている。
【００６９】
(回転シャフト)
図４、図１６および図１８に示すように、支持体１１５の第２支持部材１１７は、該第２支持部材１１７の表側(回転表示体５２側)へ立ち上がった筒状の軸支持部１３０が設けられ、該軸支持部１３０には、回転表示体５２を支持する回転シャフト１５５が設けられている。回転シャフト１５５における第２支持部材１１７の裏側へ延出した一端部側には、第２駆動ギア１５３に噛み合う第２従動ギア１５６が固定されており、該回転シャフト１５５は、第２駆動モータ１５２の回転により回転するようになっている。また、回転シャフト１５５は、第２支持部材１１７の表側に配設される基板ベース部材１５７、第３照明基板(第２照明手段)１６１(図１４、図１６参照)の挿通孔に挿通されて、他端部側が回転表示体５２に連結されている。なお、第２従動ギア１５６は、支持体１１５の第１支持部材１１６におけるカバー部１１９で覆われている。また、第２従動ギア１５６には、第２支持部材１１７の裏側に配設された第２位置検出センサ１５９に検出される第２検出片１５８が設けられており(図４、図１６、図１８参照)、該第２検出片１５８が第２位置検出センサ１５９で検出された位置が、回転表示体５２の回転シャフト１５５周りの回転方向における原点位置とされている。
【００７０】
(第２照明基板および第３照明基板について)
図４、図１６および図１８に示すように、支持体１１５における第２支持部材１１７の回転表示体５２側には、該回転表示体５２内に収容される第２照明基板１６０および第３照明基板１６１を支持する基板ベース部材１５７が配設されている。基板ベース部材１５７は、円板状に形成されて第２支持部材１１７から離間した位置に保持される基板保持板１５７ａを備え、第１表示面１４８を裏側から照明する第２照明基板(第１照明手段)１６０が、該基板保持板１５７ａと第２支持部材１１７との間に配設されると共に、第２表示面１４９を裏側から照明する第３照明基板１６１が、基板保持板１５７ａに配設されている。第２照明基板１６０は、複数の第２ＬＥＤ１６０ａが実装され、回転表示体５２の外周壁部５２ａに周方向へ並んで設けられた３つの第１表示面１４８の１つを照明し得る略矩形状に形成されており、回転表示体５２が第１姿勢の状態でパチンコ機１０の前方を指向する位置に、ＬＥＤ実装面が前方を向くように配設されている。第３照明基板１６１は、複数の第３ＬＥＤ１６１ａが実装され、回転表示体５２の外端壁部５２ｂに設けられた第２表示面１４９の全体を照明し得る略円形状に形成されており、ＬＥＤ実装面が第２表示面１４９と対向するように配設されている。なお、第２照明基板１６０の光照射方向前側には、ＬＥＤ実装面と対向するように第２レンズ部材１６２が設けられており、各第２ＬＥＤ１６０ａから照射された光が拡散されて該第２レンズ部材１６２の全体が均一的に明るくなるよう構成されている。また、第３照明基板１６１の光照射方向前側には、ＬＥＤ実装面と対向するように第３レンズ部材１６３が設けられており、各第３ＬＥＤ１６１ａから照射された光が拡散されて該第３レンズ部材１６３の全体が均一的に明るくなるよう構成されている。
【００７１】
(配線引出し部)
図４に示すように、支持体１１５の第２支持部材１１７には、該第２支持部材１１７の表裏方向に貫通する配線引出し部１６５が設けられている。配線引出し部１６５には、第２駆動モータ１５２に接続された第１配線Ｃ１と、第２照明基板１６０および第３照明基板１６１に接続された第２配線Ｃ２とが挿通されるようになっている。配線引出し部１６５は、第２支持部材１１７において、回転シャフト１５５に支持する軸支持部１３０を挟んでモータ固定部１３１と反対側となる位置に設けられている。従って、第１配線Ｃ１および第２配線Ｃ２が、回転表示体５２の内側において第２駆動モータ１５２と接触し難くなっている。なお、実施例では、第２配線Ｃ２としてフラットケーブルが採用されており、配線引出し部１６５は、細長のスリット状に開口している。
【００７２】
(配線保持部)
図４および図５に示すように、支持体１１５の第２支持部材１１７には、該第２支持部材１１７の裏側から外方へ延出した配線保持部１６６が設けられている。この配線保持部１６６は、配線引出し部１６５から引き出された前述の第１配線Ｃ１および第２配線Ｃ２を保持すると共に、該第１配線Ｃ１および第２配線Ｃ２をパチンコ機１０の前方から視認され難くするよう隠すためのものである。配線保持部１６６は、回転表示体５２の第１姿勢において、第２支持部材１１７の裏側において配線引出し部１６５より前側に設けられている。また、配線保持部１６６は、配線引出し部１６５の長手方向の長さより幅広に形成されている。更に、図５に示すように、配線保持部１６６は、第２支持部材１１７から略矩形状に立ち上がった板状をなしており、立ち上がり方向に沿う一端部および他端部は、配線引出し部１６５が位置する側へ折曲しており、第１配線Ｃ１および第２配線Ｃ２が配線保持部１６６に沿って一端部側および他端部側へ移動し難く構成されている。なお、配線保持部１６６は、回転表示体５２の第１姿勢において前側に向いた前面部に、適宜の装飾シール１６７が配設されている(図５参照)。
【００７３】
(カバー部材)
実施例の可動演出装置５０は、図４、図６、図１５および図１７に示すように、装置本体５１および第２姿勢の回転表示体５２の間からはみ出した進退動作機構５３を覆うカバー部材１７０を備えている。カバー部材１７０は、移動体７０のスライド部材７５における取付部８５に取り付けられ、該スライド部材７５と一緒に往復移動するようになっている。カバー部材１７０は、板状に形成されたカバー部１７１と、該カバー部１７１の端縁から延出してスライド部材７５に固定される複数(実施例では２つ)固定部１７２,１７２とから構成され、各固定部１７２,１７２はカバー部１１９から後方へ延出しており、該固定部１７２,１７２により固定されたカバー部１１９は、スライド部材７５の取付部８５から前方に離間して固定されている。カバー部１１９は、スライド部材７５の上下方向のサイズと略同じ上下サイズの縦長形状となっており、支持体１１５が第２位置となって回転表示体５２の第２姿勢に姿勢変位した状態では、右縁部が前述した前面装飾部材１７６と前後方向で重なると共に、左縁部が回転表示体５２と前後方向で重なる形状となっている(図３)。従って、回転表示体５２が第２姿勢となった際に、装置本体５１および該第２姿勢の回転表示体５２の間にカバー部１１９が位置することで、進退動作機構５３が前方から覆われるようになる。なお、カバー部１１９の前面は、塗装や印刷等により適宜の絵柄や模様が施されている。
【００７４】
(配線挿通部)
そして、図４および図６に示すように、カバー部材１７０のカバー部１１９には、第２支持部材１１７に設けた配線挿通部１７３から該第２支持部材１１７の裏側へ引き出された第１配線Ｃ１および第２配線Ｃ２を挿通する配線挿通部１７３が設けられている。配線挿通部１７３は、フラットケーブルにも対応し得るように、細長形状に開口した挿通口である。
【００７５】
〔実施例の作用〕
次に、前述のように構成された実施例に係るパチンコ機１０の作用につき説明する。
【００７６】
前述のように構成された実施例のパチンコ機１０では、例えば演出制御装置の演出制御基板による演出の実行可否判定の結果により、可動演出装置５０を作動しないことが決定された場合は、各可動演出装置５０,５０は初期状態に保持される。可動演出装置５０が初期状態では、図２および図４に示すように、進退動作機構５３の移動体７０が収納位置に停止保持されることで、回転表示体５２は第１姿勢に保持されている。従って、回転表示体５２が第１姿勢となっていることで、第１表示面１４８がパチンコ機１０の前方を向いており、遊技者からは第１表示面１４８の何れかが視認される。そして、各可動演出装置５０,５０の初期状態では、回転表示体５２が枠状装飾部材１４６の演出窓口２６ａ内の左側および右側に位置しており、該演出窓口２６ａに臨む図柄表示装置４５の表示部４５ａは、左部分および右部分が両回転表示体５２,５２で僅かに隠れる程度であり、該表示部４５ａにおける図柄変動演出や遊技に関連する各種演出に支障を来たさない。
【００７７】
演出制御装置の演出制御基板が、演出の実行可否判定の結果により、可動演出装置５０を作動させることを決定した場合には、該演出制御基板は所定の制御態様に基づいて可動演出装置５０を動作させる。なお、制御態様としては、第２駆動モータ１５２を作動制御すると共に、第２照明基板１６０を作動制御する第１制御態様と、第１駆動モータ７３を作動制御し、第２駆動モータ１５２を作動制御すると共に、第３照明基板１６１を作動制御する第２制御態様とから設定されている。
【００７８】
(第１制御態様)
第１制御態様においては、演出制御基板が、第２駆動モータ１５２を作動制御すると共に第２照明基板１６０を作動制御し、第１駆動モータ７３および第３照明基板１６１の作動制御は行なわない。従って、第１駆動モータ７３が作動しないことで進退動作機構５３の移動体７０が収納位置に保持されたままとなり、第２駆動モータ１５２の作動に伴って回転表示体５２は第１姿勢のままで回転するようになる(図２参照)。また、第２照明基板１６０が発光することにより、回転表示体５２の回転に伴ってパチンコ機１０の前方に３つの第１表示面１４８が順次到来するようになり、第２照明基板１６０の前方に到来した第１表示面１４８が後方から照らされて明輝するように演出がなされる。従って、第１制御態様では、図柄表示装置４５の表示部４５ａの全体で行なわれる演出表示と回転表示体５２の第１表示面１４８とを関連させた演出を行うことができる。
【００７９】
(第２制御態様)
第２制御態様においては、演出制御基板が、第１駆動モータ７３、第２駆動モータ１５２を作動制御すると共に第３照明基板１６１を作動制御し、第２照明基板１６０の作動制御は行なわない。従って、第１駆動モータ７３が作動することで進退動作機構５３の移動体７０が収納位置から延出位置へ移動するようになり、かつ姿勢切替機構５４が動作することにより、支持体１１５が第２位置へ移動して回転表示体５２が第２姿勢となる(図３参照)。そして、第２駆動モータ１５２の作動に伴って回転表示体５２は第２姿勢のままで回転するようになる。また、第３照明基板１６１が発光することにより、パチンコ機１０の前方に向いた第２表示面１４９が後方から照らされて明輝するように演出がなされる。従って、第２制御態様では、各可動演出装置５０,５０の回転表示体５２が図柄表示装置４５における表示部４５ａの前方に位置するようになり、図柄表示装置４５の表示部４５ａで行なわれる演出表示と回転表示体５２の第２表示面１４９が前後に離間して奥行き感および立体感がある演出を行うことができる。
【００８０】
なお、左の可動演出装置５０および右の可動演出装置５０は、同時に第１制御態様または第２制御態様で同期させて動作させたり、何れか一方のみを第１制御態様または第２制御態様の何れかに動作させることも可能である。また、一方の可動演出装置５０を第１制御態様により動作させると共に他方の可動演出装置５０を第２制御態様により動作させることも可能である。
【００８１】
実施例の可動演出装置５０を備えたパチンコ機１０によれば、進退動作機構５３により第１位置および第２位置の間を移動可能な支持体１１５に回転可能に支持された回転表示体５２が、姿勢切替機構５４により第１姿勢および第２姿勢に姿勢変位するので、可動演出装置５０の設置スペースを、回転表示体の姿勢変位を可能とするコンパクトなサイズにすることができる。すなわち、装置本体５１、進退動作機構５３および姿勢切替機構５４が回転表示体５２の第１姿勢および第２姿勢の姿勢変位に際して該回転表示体５２と一体に回転しないので、装置本体５１、進退動作機構５３および姿勢切替機構５４が回転表示体５２と一体に回転するタイプに比べて、可動演出装置５０の設置スペースを小さくすることができる。従って、可動演出装置５０を設置する設置部材４０に対する該可動演出装置５０の設置自由度が高められると共に、該設置部材４０に配設されるその他の構成部材(可動演出装置、装飾部材等)の配置自由度が低くなるのを防止し得る。
【００８２】
回転表示体５２が第１姿勢および第２姿勢に姿勢変位するので、回転表示体５２の外周壁部５２ａに設けられた第１表示面１４８が主に視認可能な状態と回転表示体５２の外端壁部５２ｂに設けられた第２表示面１４９が主に視認可能な状態とが生起され、回転表示体５２による演出効果を高めることができる。しかも、可動演出装置５０は、図柄表示装置４５の前側に配設して、第２姿勢となる回転表示体５２を、図柄表示装置４５における表示部４５ａの前方に位置させ得るので、回転表示体５２の第１表示面１４８および第２表示面１４９による演出と、図柄表示装置４５の表示部４５ａでの演出表示とを関連させることができ、演出効果を好適に高めることができる。更に、回転表示体５２が図柄表示装置４５の表示部４５ａの前方で回転するので、奥行き感および立体感のある演出を行うことができる。
【００８３】
そして、移動体７０が装置本体５１から延出して、支持体１１５が第１位置と第２位置との間の中途位置から第２位置までの間を移動する際に、回転表示体５２が第１姿勢と第２姿勢との間を姿勢変位するようになっているので、第１姿勢より幅広となる第２姿勢に姿勢変位する回転表示体５２が装置本体５１と干渉するのを防止し得る。また、第１姿勢より幅広となる第２姿勢に姿勢変位する回転表示体５２が、枠状装飾部材１４６や遊技盤２０と干渉することも防止し得る。
【００８４】
また、姿勢切替機構５４は、カムレール１３５とガイドバー１３６との係合により連係部材１３７を回転させ、該連係部材１３７に設けられた第１ギア部１３８と支持体１１５に設けられた第２ギア部１２３との噛み合いにより、回転表示体５２を支持した支持体を姿勢変位させる構造であるから、進退動作機構５３の動作に伴ってガイドバー１３６がカムレール１３５に案内されることで、該回転表示体５２を第１姿勢および第２姿勢の間で適切に姿勢変位させ得る。また、第１〜第３レール部１３５ａ,１３５ｂ,１３５ｃからなるカムレール１３５により、移動体７０の移動による支持体１１５の移動に伴って回転表示体５２の第１姿勢および第２姿勢の間の姿勢変位のタイミングを適切に規定することができる。
【００８５】
そして、第２照明基板１６０により第１表示面１４８の裏面に光を照射することで該第１表示面１４８が明輝するので、回転表示体５２が第１姿勢の場合には第１表示面１４８が強調されて、回転表示体５２による演出効果を高めることができる。同様に、第３照明基板１６１により第２表示面１４９の裏面に光を照射することで該第２表示面１４９が明輝するので、回転表示体５２が第２姿勢の場合には第２表示面１４９が強調されて、回転表示体５２による演出効果を高めることができる。
【００８６】
また、回転表示体５２が第２姿勢となった際には、装置本体５１と該第２姿勢の回転表示体５２との間にカバー部材１７０が露出して視認されるようになるので、装置本体５１と該第２姿勢の回転表示体５２との間にはみ出した進退動作機構５３が該カバー部材１７０により隠され、該進退動作機構５３が見えることによって見栄えが悪くなるのを防止し得る。
【００８７】
更に、第２支持部材１１７に設けられた配線引出し部１６５から該第２支持部材１１７の裏側(外側)へ引き出された配線、すなわち第２駆動モータ１５２に連結された第１配線Ｃ１や、第２照明基板１６０および第３照明基板１６１に連結された第２配線Ｃ２が、配線保持部１６６によって隠されるので、該第１および第２の配線Ｃ１,Ｃ２がパチンコ機１０前側から見えるのを防止し得る。また、回転表示体５２が第１姿勢および第２姿勢の間を姿勢変位する場合に、第１および第２の配線Ｃ１,Ｃ２が他の部材に引掛かることで負荷がかかったり折れ曲がることを配線保持部１６６で防止でき、該配線Ｃ１,Ｃ２の切断や回転表示体５２の姿勢変位に支障を来たすことを防止し得る。
【００８８】
更に、カバー部材１７０に設けられた配線挿通部１７３に、配線引出し部１６５を介して引き出された第１配線Ｃ１および第２配線Ｃ２を挿通するようにしたので、回転表示体５２が第１姿勢および第２姿勢の間を姿勢変位する際に、該配線Ｃ１,Ｃ２が不安的になることを防止し得ると共に、該配線Ｃ１,Ｃ２が進退動作機構５３の構成部材や姿勢切替機構５４の構成部材に引掛かって該機構５３,５４の動作不良が発生したり、該配線Ｃ１,Ｃ２が切断することを防止し得る。
【００８９】
〔変更例〕
本発明に係る遊技機は、実施例に例示の形態に限らず種々の変更が可能である。
（１）回転表示体は、外周壁部が円筒状に形成されたものに限らず、複数の平面が周方向へ連なった角筒状に形成されたものであってもよい。
（２）進退動作機構は、移動体が左右方向へ往復移動するものに限らず、上下方向に進退移動するものや、斜め方向に進退移動するものであってもよい。また、移動体が上下方向に進退移動する可動演出装置の場合には、遊技盤における図柄表示装置の上側または下側に配設するようにしてもよい。
（３）進退動作機構は、移動体が直線に往復移動するものに限らず、円弧状に往復移動するものであってもよい。
（４）進退動作機構の移動体を往復移動させる作動手段は、モータに限らず、ロータリーソレノイドやリニアアクチュエータ等であってもよい。
（５）姿勢切替機構は、移動体７０の移動により支持体１１５が第１位置から移動開始すると同時に第１姿勢から第２姿勢に向けて姿勢変位を開始すると共に、支持体１１５が第２位置となると同時に第２姿勢となるようにしてもよい。
（６）姿勢切替機構は、実施例で例示したカムレールおよびガイドバーの係合によるものに限らず、ベルトおよび該ベルトが掛止されるプーリから構成されたものや、チェンおよび該チェンが掛止されるスプロケットから構成されたものであってもよい。
（７）実施例では、回転表示体の第１表示面が遊技機の前方を向く姿勢を第１姿勢とすると共に、該回転表示体の第２表示面が遊技機の前方を向く姿勢を第２姿勢と規定したが、第１姿勢および第２姿勢は、表示面が遊技機の前方を向く姿勢以外の姿勢に設定してもよい。
（８）実施例では、演出制御基板により可動演出装置を作動制御するようにしたが、主制御基板により可動演出装置を作動制御するようにしてもよい。
（９）実施例では、遊技機としてのパチンコ機を示したが、遊技機はパチンコ機に限られるものではなく、アレンジボール機やスロットマシン等であってもよい。
【符号の説明】
【００９０】
５０ 可動演出装置
５１ 装置本体
５２ 回転表示体
５３ 進退動作機構
５４ 姿勢切替機構
７０ 移動体
７３ 第１駆動モータ(第２駆動手段)
１１５ 支持体
１２３ 第２ギア部(第２連係部)
１３５ カムレール(第１ガイド部)
１３６ ガイドバー(第２ガイド部)
１３７ 連係部材
１３８ 第１ギア部(第１連係部)
１４８ 第１表示面
１４９ 第２表示面
１５２ 第２駆動モータ(第１駆動手段)
１６０ 第２照明基板(第１照明手段)
１６１ 第３照明手段(第２照明手段)
１６６ 配線保持部
１７０ カバー部材
１７３ 配線挿通部
Ｃ２ 第２配線(配線)
【図１】
2016096940.tif 000003
【図２】
2016096940.tif 000004
【図３】
2016096940.tif 000005
【図４】
2016096940.tif 000006
【図５】
2016096940.tif 000007
【図６】
2016096940.tif 000008
【図７】
2016096940.tif 000009
【図８】
2016096940.tif 000010
【図９】
2016096940.tif 000011
【図１０】
2016096940.tif 000012
【図１１】
2016096940.tif 000013
【図１２】
2016096940.tif 000014
【図１３】
2016096940.tif 000015
【図１４】
2016096940.tif 000016
【図１５】
2016096940.tif 000017
【図１６】
2016096940.tif 000018
【図１７】
2016096940.tif 000019
【図１８】
2016096940.tif 000020